(57)【要約】【課題】  振り替え輸送時の鉄道会社同士の運賃精算処理をオンラインで簡単に行うようにした振り替え輸送管理方式を得る。【解決手段】  振り替え輸送の際に、振り替え元会社のサーバにおいて、振り替え先会社名及び振り替え先輸送区間を記憶し、振り替え先会社の改札機で、振り替え元会社を示す情報が記録された乗車券による乗車及び降車の際の各改札時に、振り替え元会社を示す情報及び改札時の駅を示す情報を振り替え元会社のサーバへ照会し、照会結果により改札をなす。改札機において、振り替え先会社のサーバに対して、振り替え元会社を示す情報及び乗車、降車の各駅を示す情報を通知、記憶する。振り替え先会社のサーバでの記憶情報を元に、振り替え元会社に対する運賃精算要求を生成し、振り替え元会社のサーバで、この運賃精算要求を記憶情報と照合して精算をなす。よって、鉄道会社間の振り替え輸送時の運賃精算処理をオンラインで行うことができる。【選択図】      図１                                                  
2005234724.tif 000002
【特許請求の範囲】
【請求項１】
振り替え輸送の際における振り替え先会社名及び振り替え先輸送区間を記憶管理する振り替え元会社の情報管理サーバと、
前記振り替え先会社の情報管理サーバと、
前記振り替え先会社により管理され、前記振り替え元会社を示す情報が記録された乗車券による乗車及び降車の際の各改札時に、前記振り替え元会社を示す情報及び前記改札時の駅を示す情報を前記振り替え元会社の管理サーバへ照会し、この照会結果に応じて改札をなす改札機とを含み、
前記改札機の各々は、前記振り替え先会社の情報管理サーバに対して、前記振り替え元会社を示す情報及び乗車、降車の各駅を示す情報を通知し、前記振り替え先会社の情報管理サーバは、これを記憶手段に記憶するようにしたことを特徴とする振り替え輸送管理システム。
【請求項２】
前記改札機は、前記照会結果が良を示す場合に、前記乗車券による改札を許可するようにしたことを特徴とする請求項１記載の振り替え輸送管理システム。
【請求項３】
前記振り替え先会社の情報管理サーバは、その記憶手段に記憶された情報を元に、前記振り替え元会社に対する運賃精算要求を生成する手段を有することを特徴とする請求項１または２記載の振り替え輸送管理システム。
【請求項４】
前記振り替え元会社の情報管理サーバは、前記改札機から通知された情報を記憶する記憶手段を有し、この記憶手段に記憶された情報を元に、前記振り替え先会社の情報管理サーバからの前記運賃精算要求を照合して、精算処理をなす手段を有することを特徴とする請求項３記載の振り替え輸送管理システム。
【請求項５】
前記振り替え元会社及び振り替え先会社の情報管理サーバ及び前記改札機は、相互に通信網により接続されていることを特徴とする請求項１〜４いずれか記載の振り替え輸送管理システム。
【請求項６】
振り替え輸送の際に、振り替え元会社の情報管理サーバにおいて、前記振り替え先会社名及び振り替え先輸送区間を記憶手段に記憶するステップと、
前記振り替え先会社により管理された改札機において、前記振り替え元会社を示す情報が記録された乗車券による乗車及び降車の際の各改札時に、前記振り替え元会社を示す情報及び前記改札時の駅を示す情報を前記振り替え元会社の管理サーバへ照会し、この照会結果に応じて改札をなすステップと、
前記改札機において、前記振り替え先会社の情報管理サーバに対して、前記振り替え元会社を示す情報及び乗車、降車の各駅を示す情報を通知するステップと、
前記振り替え先会社の情報管理サーバにおいて、これを記憶手段に記憶するステップとを含むことを特徴とする振り替え輸送管理方法。
【請求項７】
前記改札機において、前記照会結果が良を示す場合に、前記乗車券による改札を許可するステップを、更に含むことを特徴とする請求項６記載の振り替え輸送管理方法。
【請求項８】
前記振り替え先会社の情報管理サーバにおいて、その記憶手段に記憶された情報を元に、前記振り替え元会社に対する運賃精算要求を生成するステップを、更に含むことを特徴とする請求項６または７記載の振り替え輸送管理方法。
【請求項９】
前記振り替え元会社の情報管理サーバにおいて、前記改札機から通知された情報を記憶手段に記憶するステップと、
前記振り替え元会社の情報管理サーバにおいて、この記憶手段に記憶された情報を元に、前記振り替え先会社の情報管理サーバからの前記運賃精算要求を照合して、精算処理をなすステップとを含むことを特徴とする請求項８記載の振り替え輸送管理方法。
【請求項１０】
前記振り替え元会社及び振り替え先会社の情報管理サーバ及び前記改札機は、相互に通信網により接続されていることを特徴とする請求項６〜１０いずれか記載の振り替え輸送管理方法。
【請求項１１】
振り替え輸送の際における振り替え輸送情報である振り替え先会社名及び振り替え先輸送区間の情報を管理する振り替え元会社の情報管理サーバであって、
振り替え先会社により管理された改札機から、前記振り替え元会社を示す情報が記録された乗車券による乗車及び降車の際の各改札時に、前記振り替え元会社を示す情報及び前記改札時の駅を示す情報を含む照会を受けて、前記振り替え輸送情報を元に照会を行って照会結果を前記改札機へ通知する手段と、
前記改札機からの前記照会時における情報を記憶する記憶手段と、
前記振り替え先会社からの運賃精算要求に対して、前記記憶手段の記憶情報を元に前記運賃精算要求を照合して、精算処理をなす手段と、
を含むことを特徴とする振り替え元会社の情報管理サーバ。
【請求項１２】
振り替え輸送の際における振り替え輸送情報を管理する振り替え先会社の情報管理サーバであって、
前記振り替え先会社により管理された改札機から、前記振り替え元会社を示す情報が記録された乗車券による乗車及び降車の際の各改札時に、前記振り替え元会社を示す情報及び前記改札時の駅を示す情報を受けて記憶する記憶手段と、
前記記憶手段に記憶された情報を元に、前記振り替え元会社に対する運賃精算要求を生成する手段と、
を含むことを特徴とする振り替え先会社の情報管理サーバ。
【請求項１３】
振り替え輸送の際における振り替え先会社により管理される改札機であって、
振り替え元会社を示す情報が記録された乗車券による乗車及び降車の際の各改札時に、前記振り替え元会社を示す情報及び前記改札時の駅を示す情報を前記振り替え元会社へ照会する手段と、
この照会結果に応じて改札をなす手段と、
を含むことを特徴とする改札機。
【発明の詳細な説明】
【技術分野】
【０００１】
本発明は振り替え輸送管理システム及びその方法並びにそれに用いる情報管理サーバ及び改札機に関し、特にある鉄道会社において事故や災害の発生によって列車などの交通機関の運転が不能となった場合に、他の鉄道会社へ振り替え輸送をなす場合の振り替え輸送管理方式に関するものである。
【背景技術】
【０００２】
従来、ある鉄道会社において事故や災害の発生によって、列車などの交通機関の運転が不能となった場合に、他の鉄道会社へ振り替え輸送をなすようになっている。このような振り替え輸送の場合には、乗客は運行不能になった鉄道会社から、振り替え輸送券をもらって、他の鉄道会社の路線に乗換え、降車した駅の改札にて振り替え輸送券を手渡す仕組みとなっている。
【０００３】
このような振り替え輸送時には、鉄道会社間での精算処理が発生するが、この精算処理のためには、振り替え輸送券の回収作業や枚数確認など時間と労力を要する作業となる問題があった。運行不能となった列車の乗車券を持つ乗客は、必ず振り替え輸送券を、駅にて発行してもらわないと、振り替え先の列車に乗ることができないという問題点があった。
【０００４】
そこで、これら問題をできるだけなくすために、振り替え乗車が発生した場合、改札機の動作状態を振り替え乗車判定入モードに設定すると共に、振り替え乗車判定に必要な振り替え乗車区間情報を入力する。このように設定された改札機において、無線式の乗車券媒体の情報記録領域に、振り替え乗車情報を記録することにより、予め設定されたルート以外の区間を、振り替え乗車区間とすることを可能とする技術が提案されている（特許文献１）。
【特許文献１】特開２０００−２００３７１号公報
【発明の開示】
【発明が解決しようとする課題】
【０００５】
かかる上記の従来技術では、振り替え輸送券を駅にて発行してもらわないと、振り替え先の列車に乗ることができないという問題点は解決可能であるものの、振り替え元の会社と振り替え先の会社との間の、運賃精算時における照合の問題は依然として残るという欠点がある。
【０００６】
本発明の目的は、事故や災害で列車の運行ができなくなり他の鉄道会社へ振り替え輸送する際に、運行不能の鉄道会社の乗車券を振り替え先の鉄道会社の改札口でもそのまま利用できるようにして、かつ振り替え輸送時の鉄道会社同士の運賃精算処理をオンラインで簡単に行うことができるようにした振り替え輸送管理システム及びその方法並びにそれに用いる情報管理サーバ及び改札機を提供することである。
【課題を解決するための手段】
【０００７】
本発明による振り替え輸送管理システムは、振り替え輸送の際における振り替え先会社名及び振り替え先輸送区間を記憶管理する振り替え元会社の情報管理サーバと、前記振り替え先会社の情報管理サーバと、前記振り替え先会社により管理され、前記振り替え元会社を示す情報が記録された乗車券による乗車及び降車の際の各改札時に、前記振り替え元会社を示す情報及び前記改札時の駅を示す情報を前記振り替え元会社の管理サーバへ照会し、この照会結果に応じて改札をなす改札機とを含み、前記改札機の各々は、前記振り替え先会社の情報管理サーバに対して、前記振り替え元会社を示す情報及び乗車、降車の各駅を示す情報を通知し、前記振り替え先会社の情報管理サーバは、これを記憶手段に記憶するようにしたことを特徴とする。
【０００８】
本発明による振り替え輸送管理方法は、振り替え輸送の際に、振り替え元会社の情報管理サーバにおいて、前記振り替え先会社名及び振り替え先輸送区間を記憶手段に記憶するステップと、前記振り替え先会社により管理された改札機において、前記振り替え元会社を示す情報が記録された乗車券による乗車及び降車の際の各改札時に、前記振り替え元会社を示す情報及び前記改札時の駅を示す情報を前記振り替え元会社の管理サーバへ照会し、この照会結果に応じて改札をなすステップと、前記改札機において、前記振り替え先会社の情報管理サーバに対して、前記振り替え元会社を示す情報及び乗車、降車の各駅を示す情報を通知するステップと、前記振り替え先会社の情報管理サーバにおいて、これを記憶手段に記憶するステップとを含むことを特徴とする。
【０００９】
本発明による情報管理サーバは、振り替え輸送の際における振り替え輸送情報である振り替え先会社名及び振り替え先輸送区間の情報を管理する振り替え元会社の情報管理サーバであって、振り替え先会社により管理された改札機から、前記振り替え元会社を示す情報が記録された乗車券による乗車及び降車の際の各改札時に、前記振り替え元会社を示す情報及び前記改札時の駅を示す情報を含む照会を受けて、前記振り替え輸送情報を元に照会を行って照会結果を前記改札機へ通知する手段と、前記改札機からの前記照会時における情報を記憶する記憶手段と、前記振り替え先会社からの運賃精算要求に対して、前記記憶手段の記憶情報を元に前記運賃精算要求を照合して、精算処理をなす手段とを含むことを特徴とする。
【００１０】
本発明による他の情報管理サーバは、振り替え輸送の際における振り替え輸送情報を管理する振り替え先会社の情報管理サーバであって、前記振り替え先会社により管理された改札機から、前記振り替え元会社を示す情報が記録された乗車券による乗車及び降車の際の各改札時に、前記振り替え元会社を示す情報及び前記改札時の駅を示す情報を受けて記憶する記憶手段と、前記記憶手段に記憶された情報を元に、前記振り替え元会社に対する運賃精算要求を生成する手段とを含むことを特徴とする。
【００１１】
本発明による改札機は、振り替え輸送の際における振り替え先会社により管理される改札機であって、振り替え元会社を示す情報が記録された乗車券による乗車及び降車の際の各改札時に、前記振り替え元会社を示す情報及び前記改札時の駅を示す情報を前記振り替え元会社へ照会する手段と、この照会結果に応じて改札をなす手段とを含むことを特徴とする。
【００１２】
本発明の作用を述べる。振り替え輸送の際に、振り替え元会社の情報管理サーバにおいて、振り替え先会社名及び振り替え先輸送区間を記憶し、振り替え先会社により管理された改札機において、振り替え元会社を示す情報が記録された乗車券による乗車及び降車の際の各改札時に、振り替え元会社を示す情報及び改札時の駅を示す情報を振り替え元会社の管理サーバへ照会し、この照会結果に応じて改札をなす。そして、改札機において、振り替え先会社の情報管理サーバに対して、振り替え元会社を示す情報及び乗車、降車の各駅を示す情報を通知し、振り替え先会社の情報管理サーバにおいてこれを記憶する。
【００１３】
振り替え先会社の情報管理サーバにおいて記憶された情報を元に、振り替え元会社に対する運賃精算要求を生成し、振り替え元会社の情報管理サーバでは、この運賃精算要求を記憶情報と照合して精算をなすようにする。こうすることで、鉄道会社間の振り替え輸送時の鉄道会社同士の運賃精算処理をオンラインで簡単に行うことができ、また、振り替え元の鉄道会社の乗車券を、振り替え先の鉄道会社の改札口でも、そのまま利用できる。
【発明の効果】
【００１４】
本発明によれば、利用者は、自分の利用する路線が事故や災害で使用できず振り替え輸送となった場合でも、自分の持っている乗車券のみで、他の鉄道会社への振り替えが可能となり、また鉄道会社も、振り替え輸送券を回収する負担が少なくなり、改札機により読取られて、情報管理サーバに蓄積された情報を基に、運賃精算情報を作成することができ、振り替え元会社と振り替え先会社との両者で、運賃精算情報が、オンラインで照合できるという効果がある。
【００１５】
また、本発明の副次的な効果として、情報管理サーバに蓄積される乗客の利用履歴（移動情報）を参照することにより、振り替え輸送時のみならず、通常運行において乗客の不正使用を監視することが可能となり、無賃乗車等による損害を削減することができることにもなる。
【発明を実施するための最良の形態】
【００１６】
以下に、図面を参照して本発明の実施の形態を説明する。図１を参照すると、本実施の形態は、事故や災害によって列車の運行が不能となり振り替え輸送が必要となった鉄道会社の網２０１と、振り替え輸送先となる鉄道会社の網２０２とから構成されており、各々の鉄道会社の網はモバイルＩＰ（Internet Protocol ）網１００に接続されている。
【００１７】
振り替え輸送元の鉄道会社網２０１には、移動通信端末（Ｍｏｂｉｌｅ）となる乗車券（ＭＮ：Mobile Node ）４０の位置を登録し管理するＨｏｍｅ  Ａｇｅｎｔ（ＨＡ）１１と、乗車券を発行した乗客および振り替え輸送で他の鉄道会社から利用する乗客の乗降記録機能や振り替え輸送時の精算処理機能を有する乗客利用管理サーバ（情報管理サーバ）２１とが接続されている。なお、ＨＡ１１と乗客利用管理サーバ２１とは、情報管理サーバとして一つにまとめて考えることもできる。
【００１８】
同様に、振り替え輸送元の鉄道会社網２０２にも、ＨＡ１２と、乗客利用管理サーバ２２が接続されており、さらに乗車券４０のＨｏＡ（Home Address）および乗客利用管理サーバ２１のアドレスを読出し乗車券４０の代りにＨＡ１１への位置登録を実施する改札機３１（入場または乗車時）および改札機３２（出場または降車時）が鉄道会社網２０２に接続されている。なお、ＨＡ１２と乗客利用管理サーバ２２とは、情報管理サーバとして一つにまとめて考えることもできる。
【００１９】
乗車券４０を持つ利用客は、振り替え元鉄道会社にて乗車券（移動通信端末ＭＮに乗車券の情報として、振り替え元会社を示す情報が書込まれるものとする）を購入し、列車の運行が不能になった場合に、振り替え先の鉄道会社の改札機３１から入場し、改札機３２から出場する。
【００２０】
次に、図２〜図４のシーケンス図を参照して本発明の実施の形態の動作について説明する。先ず、図２を参照して、振り替え輸送を利用する乗客の入場時の動作を説明する。まず、事故や災害によって列車の運行が不能となった場合に、運行不能となった鉄道会社の網２０１に接続される乗客利用管理サーバ２１に、運行不能となった路線名、区間、時刻と言った運行不能の情報を記録する（ステップＡ１）。
【００２１】
次に、運行不能となった鉄道会社の乗車券４０を有する利用客が振り替え輸送先の鉄道会社の改札機３１に乗車券を通す（ステップＡ２）。次に、改札機３１は乗車券４０に記録されている鉄道会社に固有のアドレスであるＨｏｍｅ  Ａｄｄｒｅｓｓ（ＨｏＡ）を読出す（ステップＡ３）。次に、改札機３１は乗車券４０用の気付アドレス（Ｃａｒｅ  ｏｆ  Ａｄｄｒｅｓｓ：ＣｏＡ）を生成し、読出したＨｏＡとＣｏＡをセットにしてＨＡ１１に登録要求する（ステップＡ４）。ＨＡ１１は、位置登録要求を受信し、位置登録を処理し、正常に登録されたら正常終了通知を、位置登録が失敗したら登録失敗通知を改札機３１へ返す（ステップＡ５）。
【００２２】
次に、改札機３１は、乗車券４０に記録されている振り替え輸送元の鉄道会社の乗客利用管理サーバ２１のアドレスを読出し（ステップＡ６）、乗車券４０が振り替ええ輸送の対象のものであるか、有効性のチェックをなす要求のために、乗車券４０の区間、現在時刻、改札機３１の設置されている鉄道会社名、駅名、入出場の区分（このステップでは、入場または乗車）といった情報を乗客利用管理サーバ２１へ送信する（ステップＡ７）。乗客利用管理サーバ２１は、改札機３１から受信した利用者入場情報をサーバ内に記憶して（ステップＡ８）、事前に記憶した運行不能情報と照らし合わせて、乗車券４０の利用者が、振り替え輸送対象かどうか判定し、その結果を改札機３１へ通知する（ステップＡ９）。
【００２３】
改札機３１は、改札機を設置している振り替え輸送先の鉄道会社の網２０２に接続されている乗客利用管理サーバ２２に、乗車券４０の入場情報を通知し（ステップＡ１０）、乗客利用管理サーバ２２は、サーバ内に乗車券４０の入場情報を記憶する（ステップＡ１１）。最後に、改札機３１は、受信した振り替え輸送適否の結果を基に、振り替え輸送適用であれば乗客を通し、非適用であれば乗客に振り替え輸送が無効であることを表示する。（ステップＡ１２）。
【００２４】
次に、図３を用いて、振り替え輸送を利用する乗客の出場時の動作を説明する。まず、移動した利用客が出場する改札機３２に乗車券を通す（ステップＢ１）。次に、改札機３２は乗車券４０に記録されているＨｏｍｅ  Ａｄｄｒｅｓｓ（ＨｏＡ）を読み出す（ステップＢ２）。次に、改札機３２は乗車券４０用の気付アドレス（Ｃａｒｅ  ｏｆ  Ａｄｄｒｅｓｓ：ＣｏＡ）を生成し、読出したＨｏＡとＣｏＡをセットにしてＨＡ１１に登録要求する（ステップＢ３）。ＨＡ１１は、位置登録要求を受信し、位置登録を処理し、正常に登録されたら正常終了通知を、位置登録が失敗したら登録失敗通知を改札機３２へ返す（ステップＢ４）。
【００２５】
次に、改札機３２は、乗車券４０に記録されている振り替え輸送元の鉄道会社の乗客利用管理サーバ２１のアドレスを読出し（ステップＢ５）、乗車券４０が振り替え輸送の対象のものであるか、有効性のチェック要求のために、乗車券４０の区間、現在時刻、改札機３２の設置されている鉄道会社名、駅名、入出場の区分（このステップでは、出場たまは降車）といった情報を乗客利用管理サーバ２１へ送信する（ステップＢ６）。乗客利用管理サーバ２１は、改札機３２から受信した利用者出場情報をサーバ内に記憶して（ステップＢ７）、事前に記憶した運行不能情報と照らし合わせて、乗車券４０の利用者が、振り替え輸送対象なのかどうか判定し、その結果を改札機３２へ通知する（ステップＢ８）。
【００２６】
改札機３２は、改札機を設置している振り替え輸送先の鉄道会社の網２０２に接続されている乗客利用管理サーバ２２に、乗車券４０の出場情報を通知し（ステップＢ９）、乗客利用管理サーバ２２は、サーバ内に乗車券４０の出場情報を記憶する（ステップＢ１０）。最後に、改札機３２は、受信した振り替え輸送適否の結果を基に、振り替え輸送適用であれば乗客を通し、非適用であれば乗客に振り替え輸送が無効であることを表示する。（ステップＢ１１）。
【００２７】
次に、図４を用いて、鉄道会社間の振り替え輸送時の精算処理のシーケンスについて説明する。まず、振り替え輸送元の鉄道会社の乗客利用管理サーバ２１は、記憶した利用者の入出場記録を収集する（図４のステップＣ１）。また、振り替え輸送先の鉄道会社の乗客利用管理サーバ２２も、記憶した利用者の入出場記録を収集し、請求情報を生成する（ステップＣ２）。次に、乗客利用管理サーバ２２は、振り替え輸送元の鉄道会社への請求情報を送信し振り替え精算要求を出す（ステップＣ３）。
【００２８】
次に、乗客利用管理サーバ２１は、収集した入出場記録から振り替え先の鉄道会社の分の精算情報を算出し、受信した請求情報と比較する（ステップＣ４）。次に、比較した結果から差分がなければ、そのまま精算額の算出を行ない精算処理を実行し、差分があれば、差分情報を作成する（ステップＣ５）。最後に、振り替え精算の処理結果を乗客利用管理サーバ２２へ通知する。
【００２９】
本発明の他の実施の形態について、図５を用いて説明する。本例については、乗客が振り替え輸送先として、複数の鉄道会社にまたがっても同様に利用することができる点が、第一の実施の形態と異なる点である。図５において、図１と同等部分は同一符号にて示している。図５を参照すると、乗客が出場する改札機が、入場した鉄道会社の網２０２とは異なる別の鉄道会社の網２０３に接続されている改札機３３となる。なお、図において、１３はＨＡ、２３は乗客利用管理サーバである。出場時の動作については、図３で示したシーケンス図と同様である。
【００３０】
以上のように、振り替え輸送先が複数にまたがっても、乗客は乗車券の有効区間や路線を気にすることなく振り替え輸送サービス利用することができる。
【００３１】
なお、上記実施の形態では、各鉄道会社網はモバイルＩＰ網に接続されているが、これに限らず、他の通信網であっも良いものである。
【図面の簡単な説明】
【００３２】
【図１】本発明の一実施の形態のシステムブロック図である。
【図２】本発明の一実施の形態において、振り替え輸送を利用する乗客の入場（乗車）時の動作を説明するシーケンス図である。
【図３】本発明の一実施の形態において、振り替え輸送を利用する乗客の出場（降車）時の動作を説明するシーケンス図である。
【図４】鉄道会社間の振り替え輸送時の運賃精算処理の動作を説明するシーケンス図である。
【図５】本発明の他の実施の形態のシステムブロック図である。
【符号の説明】
【００３３】
１１〜１３  ＨＡ
２１〜２３  乗客利用管理サーバ
３１〜３３  改札機
４０  乗車券
１００  モバイルＩＰ網
２０１〜２０３  鉄道会社網
【図１】
2005234724.tif 000003
【図２】
2005234724.tif 000004
【図３】
2005234724.tif 000005
【図４】
2005234724.tif 000006
【図５】
2005234724.tif 000007